(57)【要約】【課題】  無線で映像の送受信が可能な映像送受信システムにおいて、ユーザが送信機の配置を容易にするための情報処理装置を提供する。【解決手段】  映像受信装置において、符号化された映像データを受信可能に構成された受信部と、前記符号化された映像データを復号可能に構成された復号部と、前記復号部における復号結果に基づいて復号化率を測定し、該復号化率が所定の閾値以上であることを判定可能に構成された復号化率判定部と、前記復号化率判定部による判定結果を外部端末に対して送信可能に構成された送信部と、を備える構成とする。【選択図】  図１
2018133822.tif 000002
【特許請求の範囲】
【請求項１】
符号化された映像データを受信可能に構成された受信部と、
前記符号化された映像データを復号可能に構成された復号部と、
前記復号部における復号結果に基づいて復号化率を測定し、該復号化率が所定の閾値以上であることを判定可能に構成された復号化率判定部と、
前記復号化率判定部による判定結果を外部端末に対して送信可能に構成された送信部と、を備える
ことを特徴とする映像受信装置。
【請求項２】
前記所定の閾値は、前記映像データを前記復号部が復号する際にデータ不足が発生しない復号化率に基づいて決定される、
ことを特徴とする請求項１に記載の映像受信装置。
【請求項３】
前記復号化率判定部は、前記復号化率が第１の閾値以上であること、及び前記復号化が第２の閾値以上であることを判定する、
ことを特徴とする請求項１に記載の映像受信装置。
【請求項４】
前記第１の閾値及び前記第２の閾値は、それぞれ高品質及び低品質の映像データを前記復号部が復号する際にデータ不足が発生しない復号化率に基づいて決定される、
ことを特徴とする請求項３に記載の映像受信装置。
【発明の詳細な説明】
【技術分野】
【０００１】
本発明の一態様は、映像の送受信を実行可能な映像送信システムにおける情報処理装置などに関する。
【背景技術】
【０００２】
Ｗｉ−Ｆｉ  Ｄｉｒｅｃｔ通信を利用して、送信機であるスマートフォンまたはＳＴＢ（セット・トップ・ボックス）などから受信機であるＴＶまたはモニターなどに対して映像を送信し、受信機側で映像を表示するシステムがある。このようなシステムでは、ＳＴＢ（送信機）からＴＶ（受信機）に映像を送信する場合、ＳＴＢ（送信機）を配置する場所によってはＴＶでのデータの受信環境が悪くなり、映像が適切に表示されないことがある。このような状態に対処するための従来技術として、特許文献１には、受信した放送信号にエラーがあるかどうかを検出し、検出されたエラーに応じて改善するための情報を表示する装置について開示されている。また、特許文献２には、送信側のバッファオーバーフローまたは受信側のバッファアンダーランを検出し、検出状況に応じて通信設定を変更する技術について開示されている。
【先行技術文献】
【特許文献】
【０００３】
【特許文献１】特開２００７−２０８３８４号公報
【特許文献２】特開２０１２−２５３８０４号公報
【発明の概要】
【発明が解決しようとする課題】
【０００４】
しかしながら、上記従来の技術では、ユーザは、適切なＳＴＢ（送信機）の配置を模索するため、ＳＴＢ（送信機）を配置してはＴＶ（受信機）で受信状況を確認するといった作業を繰り返す必要があり、非常に煩雑であった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
受信した映像データを表示部（２２０または４２０）に表示可能に構成された受信機（受信装置２０）にデータを送信可能に構成された送信部（データ送受信部１１０）と、
前記受信機と前記送信部との間のデータ転送速度が所定の速度以上であることを判定可能に構成された転送速度判定部（１０１）と、
前記転送速度判定部による判定結果を表示可能に構成された表示部（１２０）と、を備える
ことを特徴とする情報処理装置（携帯端末１０）である。
【０００７】
上記構成の情報処理装置によれば、受信機（受信装置２０）へのデータ転送速度をリアルタイムに確認しながら、送信機（ＳＴＢ３０）を適切な場所に配置することが可能となる。
【０００８】
本発明の手段２は、
前記転送速度判定部（１０１）は、前記受信機（受信装置２０）と前記送信部（データ送受信部１１０）との間のデータ転送速度を、複数の閾値に基づいて段階的に判定可能に構成された（Ｓ５２１、Ｓ５２２）ことを特徴とする手段１の情報処理装置である。
【０００９】
上記構成の情報処理装置によれば、受信機（受信装置２０）へのデータ転送速度をリアルタイムに確認しながら、ユーザが視聴したい映像の画質に合わせて、送信機（ＳＴＢ３０）を適切な場所に配置することが可能となる。
【００１０】
本発明の手段３は、
前記受信機（受信装置２０）は、表示部（４２０）を含んで構成された表示装置（４０）に映像データを出力可能に構成されている
ことを特徴とする手段１または手段２の情報処理装置である。
【００１１】
上記構成の情報処理装置によれば、表示部を別装置とする受信機（送信機（ＳＴＢ３０）とは別構成のＳＴＢなど）を備えるシステムにおいて、上述のような特徴を備える情報処理装置を構成することができる。
【００１２】
本発明の手段４は、
前記受信機（受信装置２０）から転送速度判定用データを受信可能に構成された受信部（データ送受信部１１０）をさらに備え、
前記転送速度判定部（１０１）は、前記受信機から受信した前記転送速度判定用データに基づいて、前記受信機と前記送信部との間のデータ転送速度を検出可能に構成された
ことを特徴とする手段１乃至手段３のいずれかの情報処理装置である。
【００１３】
上記構成の情報処理装置によれば、受信機（受信装置２０）から情報処理装置（携帯端末１０）へのデータ転送により、データ転送速度を検出することができる。これによれば、例えば受信機（受信装置２０）にデータの受信を容易にするブラウザ機能が無い場合でも、情報処理装置（携帯端末１０）が備えるブラウザ機能を利用して、データ転送速度を検出することが可能となる。
【００１４】
本発明の手段５は、
撮像可能な撮像部（１３０）、録音可能な録音部（１４０）、及び位置情報を取得可能な測位部（１５０）のうちの少なくとも１つと、
前記撮像部、前記録音部、及び前記測位部のうちの少なくとも１つで取得したデータを記憶可能な記憶部（１６０）と、をさらに備え、
前記転送速度判定部（１０１）は、前記判定結果を、前記撮像部、前記録音部、及び前記測位部の少なくとも１つで取得した前記データと関連付けて前記記憶部に記憶させるよう制御可能に構成された
ことを特徴とする手段１乃至手段４のいずれかの情報処理装置である。
【００１５】
上記構成の情報処理装置によれば、転送速度判定部による判定を一度行った後に送信機（ＳＴＢ３０）を再度設置するとき、過去のデータ転送速度の判定結果をユーザが参照しやすくすることできる。これにより、ユーザの利便性をさらに高めることができる。
【００１６】
本発明の手段６は、
前記転送速度判定部（１０１）による判定結果を記憶可能に構成された記憶部（１６０）をさらに備え、
前記転送速度判定部は、前記判定結果を、位置情報に関連付けて前記記憶部に記憶させるよう制御可能に構成された
ことを特徴とする手段１乃至手段５のいずれかの情報処理装置である。
【００１７】
上記構成の情報処理装置によれば、例えば、部屋の中の各場所におけるデータ転送速度の判定結果を記憶させておくことで、転送速度判定部による判定を一度行った後に送信機（ＳＴＢ３０）を再度設置するとき、過去のデータ転送速度の判定結果をユーザが参照しやすくすることできる。これにより、ユーザの利便性をさらに高めることができる。
【００１８】
本発明の手段７は、
符号化された映像データを受信可能に構成された受信部（データ送受信部２１０）と、
前記符号化された映像データを復号可能に構成された復号部（２３０）と、
前記復号部における復号結果に基づいて復号化率を測定し、該復号化率が所定の閾値以上であることを判定可能に構成された復号化率判定部（２５０）と、
前記復号化率判定部による判定結果を外部端末（携帯端末１０）に対して送信可能に構成された送信部（データ送受信部２１０）と、を備える
ことを特徴とする映像受信装置（受信装置２０）である。
【００１９】
上記構成の映像受信装置によれば、データ転送速度よりも直接的に受信映像データの再生品質を判断可能な復号化率を用いているため、受信機（受信装置２０）へのデータ転送速度をリアルタイムに確認しながら、送信機（ＳＴＢ３０）をより適切な場所に配置することが可能となる。
【図面の簡単な説明】
【００２０】
【図１】映像送受信システムの構成例を示す図。
【図２】データ転送速度判定処理を示すフローチャート。
【図３】携帯端末における表示の具体例を示す図。
【図４】携帯端末における表示の具体例を示す図。
【図５】データ転送速度判定処理を示すフローチャート。
【図６】携帯端末における表示の具体例を示す図。
【図７】映像送受信システムの構成例を示す図。
【図８】映像送受信システムの構成例を示す図。
【図９】携帯端末における表示の具体例を示す図。
【図１０】携帯端末における表示の具体例を示す図。
【図１１】映像送受信システムの構成例を示す図。
【図１２】携帯端末における表示の具体例を示す図。
【図１３】映像送受信システムの構成例を示す図。
【図１４】復号化率判定処理を示すフローチャート。
【図１５】復号化率判定処理を示すフローチャート。
【発明を実施するための形態】
【００２１】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）映像送受信システムの構成例
（２）データ転送速度判定処理の具体例
２．実施形態２
（１）映像送受信システムの構成例
（２）データ転送速度判定処理の具体例
３．実施形態３
（１）映像送受信システムの構成例
（２）データ転送速度判定処理の具体例
４．実施形態４
（１）映像送受信システムの構成例
（２）データ転送速度判定処理の具体例
５．実施形態５
（１）映像送受信システムの構成例
（２）データ転送速度判定処理の具体例
６．実施形態６
（１）映像送受信システムの構成例
（２）データ転送速度判定処理の具体例
７．実施形態７
（１）映像送受信システムの構成例
（２）復号化率判定処理の具体例
８．実施形態８
（１）映像送受信システムの構成例
（２）復号化率判定処理の具体例
９．補足事項
１０．本発明の特徴
【００２２】
＜１．実施形態＞
まず、本発明の実施形態１について、図１乃至図４を参照しながら説明する。
【００２３】
＜（１）映像送受信システムの構成例＞
図１は、本実施形態の映像送受信システムの構成例を示す図である。図１に示すように、本実施形態の映像送受信システムは、携帯端末１０、受信装置２０、及びＳＴＢ（セットトップボックス）３０を含んで構成される。
【００２４】
本実施形態の映像送受信システムでは、ユーザは、受信装置２０に対する映像コンテンツの送信が十分に可能な通信速度が得られる場所にＳＴＢ３０を配置することを目的としている。このとき、ユーザは、まず携帯端末１０を用いて受信装置２０とのデータのやり取りを実行し、データ転送速度を取得する。そして、携帯端末１０では、取得されたデータ転送速度に基づいて、十分なデータ転送速度が確保されたか否かの判定を、その表示部１２０に表示する。ユーザは、この携帯端末１０の表示部１２０の表示を参考に、ＳＴＢ３０の配置を行う。
【００２５】
＜携帯端末１０＞
携帯端末１０は、ＣＰＵ１００、データ送受信部１１０、及び表示部１２０を含んで構成される。携帯端末１０は、スマートフォンまたはタブレット機器のように携帯性に優れた機器であることが好ましい。なお、携帯端末１０として、例えばノート型のＰＣ（Ｐｅｒｓｏｎａｌ  Ｃｏｍｐｕｔｅｒ）や携帯電話などを利用することもできる。
【００２６】
＜ＣＰＵ１００＞
ＣＰＵ１００は、携帯端末１０における種々の処理を実行可能に構成された中央処理装置であり、転送速度判定部１０１、及びサーバー処理部１０２を含んで構成される。これらの転送速度判定部１０１及びサーバー処理部１０２は、ハードウェアで構成されてもよいし、ソフトウェア（ファームウェアなどを含む）で構成されてもよい。
【００２７】
＜転送速度判定部１０１＞
転送速度判定部１０１は、携帯端末１０から受信装置２０に対して転送された転送速度判定用データファイルの所定時間における受信量に基づいて、データ転送速度を測定可能に構成される。また、転送速度判定部１０１は、測定したデータ転送速度と予め定められた閾値とを比較して、受信装置２０と携帯端末１０との間のデータ転送速度が所定の速度以上であるかどうかを判定可能に構成される。転送速度判定部１０１は、この判定結果に基づいて生成された判定結果に関する情報を表示部１２０に表示可能に構成される。表示部１２０への表示制御は、ＣＰＵ１００により実行される。
【００２８】
＜サーバー処理部１０２＞
サーバー処理部１０２は、携帯端末１０をサーバーとして機能するよう制御可能に構成される。サーバー処理部１０２は、受信装置２０のＣＰＵ２００で実行されるブラウザにより、受信装置２０から携帯端末１０に対してアクセス可能にする機能を有する。この機能により、受信装置２０と携帯端末１０とを接続してデータを送受信可能な状態とし、携帯端末１０のデータ送受信部１１０から、受信装置２０のデータ送受信部２１０への転送速度判定用データファイルの転送を実行することができる。
【００２９】
＜データ送受信部１１０＞
データ送受信部１１０は、受信装置２０のデータ送受信部２１０に対してデータを送信し、また、このデータ送受信部２１０からデータを受信可能に構成される。特に、本実施形態では、携帯端末１０のデータ送受信部１１０は、受信装置２０のデータ送受信部２１０に対して転送速度判定用データファイルを送信可能に構成される。データ送受信部１１０は、ＣＰＵ１００により制御可能に構成される。
【００３０】
＜表示部１２０＞
表示部１２０は、例えばＬＣＤまたは有機ＥＬディスプレイなどで構成され、ＣＰＵ１００の表示制御により所定の画像（映像を含む）を、ユーザが視認可能な状態で表示可能に構成される。
【００３１】
＜受信装置２０＞
受信装置２０は、ＣＰＵ２００、データ送受信部２１０、表示部２２０、及び復号部２３０を含んで構成される。受信装置２０は、表示機能を備える表示部２２０を含んで構成されたＴＶまたはモニターである。受信装置２０は、携帯端末１０及びＳＴＢ３０と、無線でデータの送受信が可能な装置である。
【００３２】
＜ＣＰＵ２００＞
ＣＰＵ２００は、受信装置２０における種々の処理を実行可能に構成された中央処理装置である。ＣＰＵ２００は、データ送受信部２１０、表示部２２０、及び復号部２３０を制御可能に構成される。
【００３３】
＜データ送受信部２１０＞
データ送受信部２１０は、携帯端末１０のデータ送受信部１１０に対してデータを送信し、このデータ送受信部２１０からデータを受信可能に構成される。また、データ送受信部２１０は、ＳＴＢ３０のデータ送受信部３１０に対してデータを送信し、このデータ送受信部３１０からデータを受信可能に構成される。特に、本実施形態では、受信装置２０のデータ送受信部２１０は、携帯端末１０のデータ送受信部１１０から転送速度判定用データファイルを受信可能に構成される。データ送受信部２１０は、ＣＰＵ２００により制御可能に構成される。
【００３４】
データ送受信部２１０は、ＳＴＢ３０のデータ送受信部３１０から映像コンテンツのデータである映像データを受信可能に構成される。データ送受信部２１０は、受信した映像データを復号部２３０に出力可能に構成される。
【００３５】
＜表示部２２０＞
表示部２２０は、例えばＬＣＤまたは有機ＥＬディスプレイなどで構成され、ＣＰＵ２００の表示制御により所定の画像（映像を含む）を、ユーザが視認可能な状態で表示可能に構成される。また、表示部２２０は、復号部２３０で復号された映像を表示可能に構成される。
【００３６】
＜復号部２３０＞
復号部２３０は、データ送受信部２１０が受信した、符号化された映像コンテンツを入力とし、この映像コンテンツを復号して表示部２２０に出力可能に構成される。
【００３７】
＜ＳＴＢ３０＞
ＳＴＢ（セットトップボックス）３０は、ＣＰＵ３００、データ送受信部３１０、及び記憶部３２０を含んで構成される。ＳＴＢ３０は、映像コンテンツのデータである映像データを記憶し、ユーザの操作に応じて所望の映像データを受信装置２０のデータ送受信部２１０に送信可能に構成される。
【００３８】
＜ＣＰＵ３００＞
ＣＰＵ３００は、ＳＴＢ３０における種々の処理を実行可能に構成された中央処理装置である。ＣＰＵ３００は、データ送受信部３１０、及び記憶部３２０を制御可能に構成される。
【００３９】
＜データ送受信部３１０＞
データ送受信部３１０は、ユーザの操作に基づいて、記憶部３２０から所定の映像データを読み出し、受信装置２０のデータ送受信部２１０にこの映像データを送信可能に構成される。また、データ送受信部３１０は、記憶部３２０以外の映像受信部（図示せず）から所定の映像データを受け取り、この映像データをデータ送受信部２１０に出力可能に構成されてもよい。この映像データは、ストリーミング配信される映像データであってもよい。なお、ユーザによる操作は、ＳＴＢ３０に対する直接の操作、またはリモコンまたは受信装置２０を介した間接的な操作のどちらであってもよい。
【００４０】
＜記憶部３２０＞
記憶部３２０は、符号化された状態の映像データを記憶可能に構成され、ＣＰＵ３００の制御により、この映像データをデータ送受信部３１０に出力可能に構成される。好ましくは、記憶部３２０は複数の映像コンテンツの映像データを記憶可能に構成される。
【００４１】
＜（２）データ転送速度判定処理の具体例＞
次に、図２乃至図４を参照しながら、本実施形態の映像送受信システムにおけるデータ転送速度判定処理について具体的に説明する。
【００４２】
図２は、本実施形態のデータ転送速度判定処理を示すフローチャートである。
【００４３】
＜Ｓ５００＞
ユーザがＳＴＢ３０の最適な配置場所を決定するために携帯端末１０を操作してデータ転送速度判定処理を実行すると（Ｓ５００）、ＣＰＵ１００のサーバー処理部１０２は、受信装置２０との間のデータのやり取りを実行可能な状態にするため、携帯端末１０をウェブサーバ状態にするための処理を実行する。これによって、受信装置２０からは、ウェブブラウザで、携帯端末１０のウェブサーバにアクセスする処理を実行することで、携帯端末１０とのデータの送受信が可能になる。そして、ＣＰＵ１００は、表示部１２０に、携帯端末１０のウェブサーバにアクセスするためのアドレスを表示する。図３は、このときの表示部１２０における画面表示の一例である。ユーザは、この表示に従って受信装置２０を操作し、受信装置２０のＣＰＵ２００で実行されるウェブブラウザのソフトウェア上で、携帯端末１０のウェブサーバにアクセスするためのアドレスを入力する。これによって、受信装置２０と携帯端末１０との無線接続によるデータの送受信が可能な状態となる。
【００４４】
＜Ｓ５１０＞
次に、携帯端末１０のデータ送受信部１１０は、受信装置２０のデータ送受信部２１０に対して、データ転送速度を判定するための、転送速度判定用データファイルを転送する。データ送受信部１１０は、ここで送信した転送速度判定用データファイルの受信装置２０における受信状況を転送速度判定部１０１に出力する。転送速度判定部１０１は、受信装置２０における転送速度判定用データファイルの単位時間における受信量に基づいて、携帯端末１０と受信装置２０との間のデータ転送速度を取得する（Ｓ５１０）。なお、ここで挙げているデータ転送速度の取得は一例であって、データ転送速度の判定方法としては他の方法を採用してもよい。
【００４５】
＜Ｓ５２０＞
次に、転送速度判定部１０１は、取得したデータ転送速度が、予め定められた閾値以上か否かを判定する（Ｓ５２０）。ここでの閾値は、受信装置２０がＳＴＢ３０から受信する映像データに基づいて映像を再生した際に、映像データの不足による問題が発生しないような転送速度に基づいて、予め決定される。
【００４６】
＜Ｓ５３０、Ｓ６００＞
取得したデータ転送速度が閾値以上の値であった場合（Ｓ５２０でＹ）、転送速度判定部１０１は、データ転送速度が確保できている旨の情報を表示部１２０に表示させる（Ｓ５３０）。そして、データ転送速度判定処理は終了する（Ｓ６００）。この表示部１２０の制御は、ＣＰＵ１００によって実行されてもよい。図４は、このＳ５３０の処理で携帯端末１０の表示部１２０における画面表示の一例である。
【００４７】
＜Ｓ５３１、Ｓ６００＞
一方で、取得したデータ転送速度が閾値未満の値であった場合（Ｓ５２０でＮ）、転送速度判定部１０１は、データ転送速度が確保できていない旨の情報を表示部１２０に表示させる。そして、データ転送速度判定処理は終了する（Ｓ６００）。
【００４８】
上記のデータ転送速度判定処理によって、表示部１２０にはデータ転送速度が確保されているか、確保されていないかを示す表示がなされ、ユーザはこの表示に基づいて、ＳＴＢ３０を配置する位置を決定することとなる。
【００４９】
＜２．実施形態２＞
次に、本発明の実施形態２について、図１、図５及び図６を参照しながら説明する。本実施形態の映像送受信システムでは、実施形態１の映像送受信システムと基本的な構成は同様であるが、転送速度判定部１０１が複数の閾値に基づいて段階的にデータ転送速度を判定する点において異なっている。以下の説明においては、この相違点を中心に説明し、実施形態１と同様の構成及び動作についてはその説明を省略する。
【００５０】
＜（１）映像送受信システムの構成例＞
上記のとおり、本実施形態の映像送受信システムは、実施形態１で説明した構成（図１参照）と同様である。ただし、転送速度判定部１０１の機能において相違する点がある。
【００５１】
＜転送速度判定部１０１＞
転送速度判定部１０１は、携帯端末１０から受信装置２０に対して転送された転送速度判定用データファイルの所定時間における受信量に基づいて、データ転送速度を測定可能に構成される。転送速度判定部１０１は、測定したデータ転送速度と、予め定められた複数の閾値とを比較して、携帯端末１０と受信装置２０との間のデータ転送速度が所定の速度以上であるかどうかを段階的に判定可能に構成される。
【００５２】
＜（２）データ転送速度判定処理の具体例＞
次に、図５及び図６を参照しながら、本実施形態の映像送受信システムにおけるデータ転送速度判定処理について具体的に説明する。本実施形態のデータ転送速度判定処理は、実施形態１のデータ転送速度判定処理（図２参照）と比較して、Ｓ５２０、Ｓ５３０及びＳ５３１の処理が、Ｓ５２１、Ｓ５２２、及びＳ５４０〜Ｓ５４２の処理に変更されている点で異なる。
【００５３】
＜Ｓ５２１＞
Ｓ５１０の処理の後、転送速度判定部１０１は、取得したデータ転送速度が、予め定められた閾値１以上か否かを判定する（Ｓ５２１）。ここでの閾値１は、受信装置２０がＳＴＢ３０から受信する、単位時間当たりのデータ量が比較的多い高品質の映像データに基づいて映像を再生した際に、映像データの不足による問題が発生しないような転送速度に基づいて、予め決定される。
【００５４】
＜Ｓ５２２＞
Ｓ５２１の処理の後、転送速度判定部１０１は、取得したデータ転送速度が、予め定められた閾値２以上か否かを判定する（Ｓ５２２）。ここでの閾値２は、受信装置２０がＳＴＢ３０から受信する、単位時間当たりのデータ量が比較的少ない低品質の映像データに基づいて映像を再生した際に、映像データの不足による問題が発生しないような転送速度に基づいて、予め決定される。
【００５５】
＜Ｓ５４０、Ｓ６００＞
取得したデータ転送速度が閾値１以上の値であった場合（Ｓ５２１でＹ）、転送速度判定部１０１は、高品質動画が再生可能なデータ転送速度が確保できている旨の情報を表示部１２０に表示させる（Ｓ５４０）。そして、データ転送速度判定処理は終了する（Ｓ６００）。
【００５６】
＜Ｓ５４１、Ｓ６００＞
取得したデータ転送速度が閾値２以上の値であった場合（Ｓ５２２でＹ）、転送速度判定部１０１は、低品質動画が再生可能なデータ転送速度が確保できている旨の情報を表示部１２０に表示させる（Ｓ５４１）。そして、データ転送速度判定処理は終了する（Ｓ６００）。図６は、このＳ５４１の処理で携帯端末１０の表示部１２０における画面表示の一例である。
【００５７】
＜Ｓ５４２、Ｓ６００＞
一方で、取得したデータ転送速度が閾値２未満の値であった場合（Ｓ５２２でＮ）、転送速度判定部１０１は、データ転送速度が確保できていない旨の情報を表示部１２０に表示させる。そして、データ転送速度判定処理は終了する（Ｓ６００）。
【００５８】
＜３．実施形態３＞
次に、本発明の実施形態３について、図７を参照しながら説明する。本実施形態の映像送受信システムでは、実施形態１の映像送受信システムに対して、表示装置４０が追加されている点で異なる。また、受信装置２０は、表示部２２０を備えない構成となっている。すなわち、本実施形態の映像送受信システムでは、実施形態１の受信装置２０が、受信装置２０と表示装置４０との組み合わせによって置き換えられた構成となっている。本実施形態においては、データ転送速度判定処理については実施形態１と同様である。以下の説明においては、この相違点を中心に説明し、実施形態１と同様の構成及び動作についてはその説明を省略する。
【００５９】
＜（１）映像送受信システムの構成例＞
図７は、本実施形態の映像送受信システムの構成例を示す図である。図７に示されるように、本実施形態の映像送受信システムは、携帯端末１０、受信装置２０、ＳＴＢ３０、及び表示装置４０を含んで構成される。受信装置２０は、セットトップボックスなどであり、表示装置４０は、モニターなどで構成される。
【００６０】
＜受信装置２０＞
受信装置２０は、ＣＰＵ２００、データ送受信部２１０、復号部２３０、及び映像出力部２４０を含んで構成される。受信装置２０は、携帯端末１０及びＳＴＢ３０と、無線でデータの送受信が可能な装置である。また、受信装置２０は、表示装置４０に対して有線または無線で映像を出力可能に構成される。
【００６１】
＜映像出力部２４０＞
映像出力部２４０は、復号部２３０が復号した映像コンテンツを、映像信号として表示装置４０に出力可能に構成される。
【００６２】
＜表示装置４０＞
表示装置４０は、入力された映像信号に基づいて画像（映像を含む）を表示する機能を有するモニターなどであって、映像入力部４１０及び表示部４２０を含んで構成される。
【００６３】
＜映像入力部４１０＞
映像入力部４１０は、受信装置２０の映像出力部２４０から映像信号を入力可能に構成される。映像入力部４１０は、入力された映像信号に基づいて表示部４２０を制御して、表示部４２０に画像（映像を含む）を表示可能に構成される。
【００６４】
＜表示部４２０＞
表示部４２０は、例えばＬＣＤまたは有機ＥＬディスプレイなどで構成され、映像入力部４１０の表示制御により所定の画像（映像を含む）を、ユーザが視認可能な状態で表示可能に構成される。
【００６５】
＜（２）データ転送速度判定処理の具体例＞
本実施形態の映像送受信システムにおけるデータ転送速度判定処理は、実施形態１と同様であるため、ここではその説明を省略する。
【００６６】
＜４．実施形態４＞
次に、本発明の実施形態４について、図１を参照しながら説明する。本実施形態の映像送受信システムでは、実施形態１の映像送受信システムに対して、受信装置２０のＣＰＵ２００がサーバー処理機能を有する点で異なっている。また、データ転送速度を測定する際の転送速度判定用データファイルの送受信が、携帯端末１０と受信装置２０との間で逆になっている。以下の説明においては、この相違点を中心に説明し、実施形態１と同様の構成及び動作についてはその説明を省略する。
【００６７】
＜（１）映像送受信システムの構成例＞
受信装置２０のＣＰＵ２００は、携帯端末１０のサーバー処理部１０２が実行可能なサーバー処理を実行可能な機能を有している。すなわち、ＣＰＵ２００は、受信装置２０をサーバーとして機能するよう制御可能に構成される。ＣＰＵ２００は、携帯端末１０のＣＰＵ１００で実行されるブラウザにより、携帯端末１０から受信装置２０に対してアクセス可能にする機能を有する。この機能により、携帯端末１０と受信装置２０とを接続してデータを送受信可能な状態とし、受信装置２０のデータ送受信部２１０から携帯端末１０のデータ送受信部１１０への転送速度判定用データファイルの転送を実行することができる。
【００６８】
＜（２）データ転送速度判定処理の具体例＞
上記の機能により、本実施形態の映像送受信システムでは、まず、ユーザが携帯端末１０を操作して受信装置２０のウェブサーバにアクセスする（実施形態１のＳ５００参照）。その後、受信装置２０のデータ送受信部２１０は、転送速度判定用データファイルを携帯端末１０のデータ送受信部１１０に対して送信する。データ送受信部１１０は、ここで受信した転送速度判定用データファイルの受信状況を転送速度判定部１０１に出力する。転送速度判定部１０１は、データ送受信部１１０における転送速度判定用データファイルの単位時間における受信量に基づいて、携帯端末１０と受信装置２０との間のデータ転送速度を取得する（Ｓ５１０参照）。
【００６９】
上記のような構成及び動作によって、受信装置２０から携帯端末１０に対して転送速度判定用データファイルを送信してデータ転送速度を測定し、データ転送速度判定処理を実行することができる。このように、携帯端末１０と受信装置２０とのデータ転送速度の判定の際は、転送速度判定用データファイルの送信方向はどちらにしてもよい。
【００７０】
＜５．実施形態５＞
次に、本発明の実施形態５について、図８乃至図１０を参照しながら説明する。本実施形態の映像送受信システムでは、実施形態１の映像送受信システムと比較して、携帯端末１０が、撮像部１３０、録音部１４０、測位部１５０、及び記憶部１６０をさらに含む構成になっている点で相違する。以下の説明においては、この相違点を中心に説明し、実施形態１と同様の構成及び動作についてはその説明を省略する。
【００７１】
＜（１）映像送受信システムの構成例＞
上記のとおり、本実施形態の映像送受信システムは、図８に示されるように、実施形態１で説明した構成（図１参照）と比較して、撮像部１３０、録音部１４０、測位部１５０、及び記憶部１６０をさらに含んで構成される。
【００７２】
＜撮像部１３０＞
撮像部１３０は、カメラとしての機能を有しており、ユーザの操作により撮像可能に構成される。すなわち、撮像部１３０は、レンズ及び光学センサを含んで構成され、レンズが向けられた方向の画像を取得可能に構成されている。撮像部１３０が撮像した映像は、記憶部１６０に記憶可能である。
【００７３】
＜録音部１４０＞
録音部１４０は、音声レコーダとしての機能を有しており、ユーザの操作により、例えばユーザの声などの周囲の音声を録音可能に構成される。すなわち、録音部１４０は、音声収集機能を有するマイクを含んで構成され、マイクの周辺の音声を取得可能に構成されている。録音部１４０が取得した音声は、記憶部１６０に記憶可能である。
【００７４】
＜測位部１５０＞
測位部１５０は、例えばＧＰＳのような位置検出システムを利用して現在位置を取得可能に構成される。現在位置は、例えば地球上の経度及び緯度によって示される。測位部１５０が取得した位置情報は、記憶部１６０に記憶可能である。
【００７５】
＜記憶部１６０＞
記憶部１６０は、撮像部１３０、録音部１４０、及び測位部１５０がそれぞれ取得したデータを、転送速度判定部１０１による転送速度判定の結果に関連付けられた状態で記憶可能に構成される。
【００７６】
＜（２）データ転送速度判定処理の具体例＞
本実施形態の映像送受信システムにおけるデータ転送速度判定処理は、転送速度判定部１０１による転送速度の判定までは実施形態１と同様であるが、データ転送速度の判定後に、この判定結果を写真、音声、または位置情報に関連付けて記憶可能とする点で異なる。
【００７７】
データ転送速度判定処理が終了したら（図２のＳ６００参照）、ＣＰＵ１００は、表示部１２０に、撮像、録音、または位置検出を実行するかどうかをユーザが選択するための表示を行う。図９は、表示部１２０に、撮像、録音、または位置検出を実行するかどうかをユーザに確認するときの表示例を示す図である。ここでのユーザによる携帯端末１０の操作に応じて、携帯端末１０の撮像部１３０、録音部１４０、または測位部１５０は、それぞれ撮像、録音、または位置検出を実行し、ＣＰＵ１００は、この実行結果を、データ転送速度の判定結果に関連付けて記憶部１６０に記憶する。
【００７８】
図１０は、写真、位置情報、及び音声に関連付けられて記憶されたデータ転送速度の判定結果をユーザが確認した時の、表示部１２０での表示例を示す図である。図１０に示すように、ユーザは、データ転送速度の判定結果、及びこの判定をした場所での写真、判定場所の位置（経度及び緯度）、及び録音した音声を再生可能となる。このような構成及び処理によって、ユーザは、データ転送速度の判定を実行した場所を後日確認したような場合であっても、データ転送速度の判定を行った場所や状況を把握し易くなる。
【００７９】
＜６．実施形態６＞
次に、本発明の実施形態６について、図１１及び図１２を参照しながら説明する。本実施形態の映像送受信システムでは、実施形態１の映像送受信システムと比較して、携帯端末１０が記憶部１６０をさらに含む構成になっている点で相違する。以下の説明においては、この相違点を中心に説明し、実施形態１と同様の構成及び動作についてはその説明を省略する。
【００８０】
＜記憶部１６０＞
記憶部１６０は、転送速度判定部１０１によるデータ転送速度の判定結果を、例えば部屋の各位置に関連付けて記憶可能に構成される。具体的な例としては、記憶部１６０は、データ転送速度の判定結果を、部屋を９分割したそれぞれの位置に対して記憶可能に構成される。
【００８１】
＜（２）データ転送速度判定処理の具体例＞
本実施形態の映像送受信システムでは、データ転送速度の判定を実行する前に、図１２の中央付近に示すような部屋の中の特定の位置でユーザがデータ転送速度の判定処理を実行することを促すよう表示する。そして、転送速度判定部１０１は、データ転送速度の判定結果を、部屋の中の位置と関連付けて、記憶部１６０に記憶させる。
【００８２】
＜７．実施形態７＞
次に、本発明の実施形態７について、図１３及び図１４を参照しながら説明する。本実施形態の映像送受信システムでは、実施形態１の映像送受信システムと比較して、データの転送速度ではなく、受信装置２０における復号化率に基づいて、ＳＴＢ３０から受信装置２０に送信される映像データを受信装置２０が適切に再生（復号）可能かどうかを判定する点で異なる。以下の説明においては、この相違点を中心に説明し、実施形態１と同様の構成及び動作についてはその説明を省略する。
【００８３】
＜（１）映像送受信システムの構成例＞
本実施形態の映像送受信システムでは、実施形態１の映像送受信システムと比較して、受信装置２０が復号化率判定部２５０を含んで構成されている点で相違する。
【００８４】
＜復号化率判定部２５０＞
復号化率判定部２５０は、受信装置２０の復号部２３０による復号の状況に基づいて決定される復号化率を取得し、この復号化率を予め定められた所定の閾値と比較し、受信装置２０と携帯端末１０との間のデータ転送速度が、受信映像をスムーズに表示可能な速度以上であるかどうかを判定可能に構成される。復号化率判定部２５０は、この復号化率の判定結果を、データ送受信部２１０を介して携帯端末１０に送信可能である。
【００８５】
＜携帯端末１０＞
携帯端末１０では、復号化率判定部２５０から上記の復号化率の判定結果を受け取ったら、ＣＰＵ１００がこの判定結果を表示部１２０に表示することができるよう構成される。
【００８６】
＜データ送受信部１１０、データ送受信部２１０＞
携帯端末１０のデータ送受信部１１０は、受信装置２０のデータ送受信部２１０に対して復号化率判定用データファイルを送信可能に構成される。
【００８７】
＜（２）復号化率判定処理の具体例＞
次に、図１４を参照しながら、本実施形態の映像送受信システムにおける復号化率判定処理について具体的に説明する。図１４は、本実施形態の復号化率判定処理を示すフローチャートである。
【００８８】
＜Ｓ５０１＞
ユーザがＳＴＢ３０の最適な配置場所を決定するために携帯端末１０を操作して復号化率判定処理を実行すると（Ｓ５０１）、ＣＰＵ１００のサーバー処理部１０２は、受信装置２０との間のデータのやり取りを実行しやすくするため、携帯端末１０をウェブサーバ状態にするための処理を実行する。これによって、受信装置２０からは、ウェブブラウザで、携帯端末１０のウェブサーバにアクセスする処理を実行することで、携帯端末１０とのデータの送受信が可能になる。そして、ＣＰＵ１００は、表示部１２０に、携帯端末１０のウェブサーバにアクセスするためのアドレスを表示する。ユーザは、この表示部１２０の表示に従って受信装置２０を操作し、受信装置２０のＣＰＵ２００のウェブブラウザのソフトウェア上で、携帯端末１０のウェブサーバにアクセスするためのアドレスを入力する。これによって、受信装置２０と携帯端末１０との無線接続によるデータの送受信が可能な状態となる。
【００８９】
＜Ｓ５１１＞
次に、携帯端末１０のデータ送受信部１１０は、受信装置２０のデータ送受信部２１０に対して、復号化率を判定するための、復号化率判定用データファイルを転送する。データ送受信部２１０は、この復号化率判定用データファイルを復号部２３０に出力する。復号部２３０は、この復号化率判定用データファイルを復号する。復号化率判定部２５０は、復号部２３０での復号の状況に基づいて復号化率を取得する（Ｓ５１１）。なお、復号化率の取得方法は、一般的に知られる種々の方法を採用可能である。
【００９０】
＜Ｓ５２３＞
次に、復号化率判定部２５０は、取得した復号化率が、予め定められた閾値以上か否かを判定する（Ｓ５２３）。ここでの閾値は、受信装置２０がＳＴＢ３０から受信する映像データに基づいて映像を再生した際に、映像データの不足による問題が発生しないような復号化率に基づいて、予め決定される。
【００９１】
＜Ｓ５５０、Ｓ６０１＞
取得した復号化率が閾値以上の値であった場合（Ｓ５２３でＹ）、ＣＰＵ１００は、この判定時の場所にＳＴＢ３０を配置すれば映像をスムーズに表示できる旨の情報を表示部１２０に表示させる（Ｓ５５０）。そして、復号化率判定処理は終了する（Ｓ６０１）。
【００９２】
＜Ｓ５５１、Ｓ６０１＞
一方で、取得した復号化率が閾値未満の値であった場合（Ｓ５２３でＮ）、ＣＰＵ１００は、この判定時の場所にＳＴＢ３０を配置した場合データ転送速度が確保できていない旨の情報を表示部１２０に表示させる。そして、データ転送速度判定処理は終了する（Ｓ６０１）。
【００９３】
上記の復号化率判定処理によって、表示部１２０には、映像をスムーズに表示できるかどうかを示す表示がなされ、ユーザはこの表示に基づいて、ＳＴＢ３０を配置する位置を決定することとなる。
＜８．実施形態８＞
次に、本発明の実施形態８について、図１５を参照しながら説明する。本実施形態の映像送受信システムでは、実施形態７の映像送受信システムと基本的な構成は同様であるが、復号化率判定部２５０が複数の閾値に基づいて段階的に復号化率を判定する点において異なっている。以下の説明においては、この相違点を中心に説明し、実施形態７と同様の構成及び動作についてはその説明を省略する。
【００９４】
＜（１）映像送受信システムの構成例＞
上記のとおり、本実施形態の映像送受信システムは、実施形態７で説明した構成（図１３参照）と同様である。ただし、復号化率判定部２５０の機能において相違する点がある。
【００９５】
＜復号化率判定部２５０＞
復号化率判定部２５０は、受信装置２０の復号部２３０による復号の状況に基づいて決定される復号化率を取得し、この復号化率を予め定められた複数の閾値と比較して、受信装置２０と携帯端末１０との間のデータ転送速度が、どの程度の品質の画像をスムーズに表示可能な速度かどうかを判定可能に構成される。
【００９６】
＜（２）データ転送速度判定処理の具体例＞
次に、図１５を参照しながら、本実施形態の映像送受信システムにおける復号化率判定処理について具体的に説明する。本実施形態のデータ転送速度判定処理は、実施形態７のデータ転送速度判定処理（図１３参照）と比較して、Ｓ５２３、Ｓ５５０及びＳ５５１の処理が、Ｓ５２４、Ｓ５２５、及びＳ５６０〜Ｓ５６２の処理に変更されている点で異なる。
【００９７】
＜Ｓ５２４＞
Ｓ５１１の処理の後、復号化率判定部２５０は、取得した復号化率が、予め定められた閾値１以上か否かを判定する（Ｓ５２４）。ここでの閾値１は、受信装置２０がＳＴＢ３０から受信する、単位時間当たりのデータ量が比較的多い高品質の映像データに基づいて映像を再生した際に、映像データの不足による問題が発生しないような復号化率に基づいて、予め決定される。
【００９８】
＜Ｓ５２５＞
Ｓ５２４の処理の後、復号化率判定部２５０は、取得した復号化率が、予め定められた閾値２以上か否かを判定する（Ｓ５２５）。ここでの閾値２は、受信装置２０がＳＴＢ３０から受信する、単位時間当たりのデータ量が比較的少ない低品質の映像データに基づいて映像を再生した際に、映像データの不足による問題が発生しないような復号化率に基づいて、予め決定される。
【００９９】
＜Ｓ５６０、Ｓ６０１＞
取得したデータ転送速度が閾値１以上の値であった場合（Ｓ５２４でＹ）、復号化率判定部２５０は、高品質動画をスムーズに表示できる旨の情報を表示部１２０に表示させる（Ｓ５６０）。そして、データ転送速度判定処理は終了する（Ｓ６０１）。
【０１００】
＜Ｓ５６１、Ｓ６０１＞
取得したデータ転送速度が閾値２以上の値であった場合（Ｓ５２５でＹ）、復号化率判定部２５０は、低品質動画をスムーズに表示できる旨の情報を表示部１２０に表示させる（Ｓ５６１）。そして、データ転送速度判定処理は終了する（Ｓ６０１）。
【０１０１】
＜Ｓ５６２、Ｓ６０１＞
一方で、取得した復号化率が閾値２未満の値であった場合（Ｓ５２５でＮ）、復号化率判定部２５０は、映像をスムーズに表示できない旨の情報を表示部１２０に表示させる（Ｓ５６２）。そして、データ転送速度判定処理は終了する（Ｓ６０１）。
【０１０２】
＜９．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【０１０３】
上記実施形態は、互いに可能な範囲で組み合わせて実施されうる。例えば、実施形態５で説明した撮像部１３０などを含める構成において、実施形態７で説明した復号化率を利用した判定を実行するなど、種々の組み合わせが考えられ、これらの実施形態の組み合わせも本発明の一部である。
【０１０４】
上記実施形態では、ウェブサーバを利用して携帯端末１０と受信装置２０との接続を確立したが、必ずしもこの方法に限るものではない。例えば、無線ＬＡＮその他の手段によって、携帯端末１０と受信装置２０との接続を確立してもよい。ただし、ウェブサーバを利用する方法であれば、比較的簡単な処理で携帯端末１０と受信装置２０との接続を確立可能であるためより好ましい。
【０１０５】
上記実施形態では、ＳＴＢ３０を設置することを目的としているが、これは必ずしもセットトップボックスである必要はなく、同様の映像送信機能を有する機器であればよい。すなわち、ＳＴＢ３０は例えばＰＣ（Ｐｅｒｓｏｎａｌ  Ｃｏｍｐｕｔｅｒ）と置き換えられうる。
【０１０６】
実施形態２などでは、複数の閾値として２つの閾値を利用して段階的にデータ転送速度を判定する方法について説明したが、閾値の数を限定するものではなく、３以上の閾値を利用する方法を採ってもよい。
【０１０７】
また、携帯端末１０と受信装置２０との間のデータ転送速度は、例えば、受信装置２０のＣＰＵ２００によって判定し、判定結果を受信装置２０から携帯端末１０に対して出力するような構成としてもよい。
【０１０８】
また、転送速度判定用データファイルは、転送速度の判定のみを目的とする特別なデータファイルであってもよいし、通常の映像データであってもよい。
【０１０９】
＜１０．本発明の特徴＞
以上、説明したような構成の情報処理装置または映像受信装置は、以下のような特徴を持つ。
【０１１０】
本発明の情報処理装置（携帯端末１０）は、受信した映像データを表示部２２０（または表示部４２０）に表示可能に構成された受信機（受信装置２０）にデータを送信可能に構成された送信部（データ送受信部１１０）と、受信機（受信装置２０）と送信部（データ送受信部１１０）との間のデータ転送速度が所定の速度以上であることを判定可能に構成された転送速度判定部（１０１）と、転送速度判定部（１０１）による判定結果を表示可能に構成された表示部１２０と、を備えることを特徴とする。
【０１１１】
上記構成の情報処理装置によれば、受信機（受信装置２０）へのデータ転送速度をリアルタイムに確認しながら、送信機（ＳＴＢ３０）を適切な場所に配置することが可能となる。
【０１１２】
また、本発明の情報処理装置（携帯端末１０）では、転送速度判定部１０１は、受信機（受信装置２０）と送信部（データ送受信部１１０）との間のデータ転送速度を、複数の閾値に基づいて段階的に判定可能に構成された（Ｓ５２１、Ｓ５２２）ことを特徴とする。
【０１１３】
上記構成の情報処理装置によれば、受信機（受信装置２０）へのデータ転送速度をリアルタイムに確認しながら、ユーザが視聴したい映像の画質に合わせて、送信機（ＳＴＢ３０）を適切な場所に配置することが可能となる。
【０１１４】
また、本発明の情報処理装置では、受信機（受信装置２０）は、表示部４２０を含んで構成された表示装置４０に映像データを出力可能に構成されていることを特徴とする。
【０１１５】
上記構成の情報処理装置によれば、表示部を別装置とするＳＴＢ（送信機とは別構成）を受信機として備えるシステムにおいて、上述のような特徴を備える情報処理装置を構成することができる。
【０１１６】
また、本発明の情報処理装置では、受信機（受信装置２０）から転送速度判定用データを受信可能に構成された受信部（データ送受信部１１０）をさらに備え、転送速度判定部１０１は、受信機（受信装置２０）から受信した転送速度判定用データに基づいて、受信機（受信装置２０）と送信部との間のデータ転送速度を検出可能に構成されたことを特徴とする。
【０１１７】
上記構成の情報処理装置によれば、受信機（受信装置２０）から情報処理装置（携帯端末１０）へのデータ転送により、データ転送速度を検出することができる。これによれば、例えば受信機（受信装置２０）にデータの受信を容易にするブラウザ機能が無い場合でも、情報処理装置（携帯端末１０）が備えるブラウザ機能を利用して、データ転送速度を検出することが可能となる。
【０１１８】
また、本発明の情報処理装置では、撮像可能な撮像部１３０、録音可能な録音部１４０、及び位置情報を取得可能な測位部１５０のうちの少なくとも１つと、撮像部１３０、録音部１４０、及び測位部１５０のうちの少なくとも１つで取得したデータを記憶可能な記憶部１６０と、をさらに備え、転送速度判定部１０１は、この判定結果を、撮像部１３０、録音部１４０、及び測位部１５０の少なくとも１つで取得したデータと関連付けて記憶部１６０に記憶させるよう制御可能に構成されたことを特徴とする。
【０１１９】
上記構成の情報処理装置によれば、転送速度判定部１０１による判定を一度行った後に送信機（ＳＴＢ３０）を再度設置するとき、過去のデータ転送速度の判定結果をユーザが参照しやすくすることできる。これにより、ユーザの利便性をさらに高めることができる。
【０１２０】
また、本発明の情報処理装置では、転送速度判定部１０１よる判定結果を記憶可能に構成された記憶部１６０をさらに備え、転送速度判定部１０１は、この判定結果を、位置情報に関連付けて記憶部１６０に記憶させるよう制御可能に構成されたことを特徴とする。
【０１２１】
上記構成の情報処理装置によれば、例えば、部屋の中の各場所におけるデータ転送速度の判定結果を記憶させておくことで、転送速度判定部による判定を一度行った後に送信機（ＳＴＢ３０）を再度設置するとき、過去のデータ転送速度の判定結果をユーザが参照しやすくすることできる。これにより、ユーザの利便性をさらに高めることができる。
【０１２２】
また、本発明の映像受信装置（受信装置２０）では、符号化された映像データを受信可能に構成された受信部（データ送受信部２１０）と、符号化された映像データを復号可能に構成された復号部２３０と、復号部２３０における復号結果に基づいて復号化率を測定し、該復号化率が所定の閾値以上であることを判定可能に構成された復号化率判定部２５０と、復号化率判定部２５０による判定結果を外部端末（携帯端末１０）に対して送信可能に構成された送信部（データ送受信部２１０）と、を備えることを特徴とする。
【０１２３】
上記構成の映像受信装置によれば、データ転送速度よりも直接的に受信映像データの再生品質を判断可能な復号化率を用いているため、受信機（受信装置２０）へのデータ転送速度をリアルタイムに確認しながら、送信機（ＳＴＢ３０）をより適切な場所に配置することが可能となる。
【産業上の利用可能性】
【０１２４】
本発明は、映像の送受信を実行可能な映像送信システムなどにおいて好適に適用される。
【符号の説明】
【０１２５】
１０…携帯端末
１０１…転送速度判定部
１０２…サーバー処理部
１１０…データ送受信部
１２０…表示部
１３０…撮像部
１４０…録音部
１５０…測位部
１６０…記憶部
２０…受信装置
２１０…データ送受信部
２２０…表示部
２３０…復号部
２４０…映像出力部
２５０…復号化率判定部
３０…ＳＴＢ
３１０…データ送受信部
３２０…記憶部
４０…表示装置
４１０…映像入力部
４２０…表示部
【図１】
2018133822.tif 000003
【図２】
2018133822.tif 000004
【図３】
2018133822.tif 000005
【図４】
2018133822.tif 000006
【図５】
2018133822.tif 000007
【図６】
2018133822.tif 000008
【図７】
2018133822.tif 000009
【図８】
2018133822.tif 000010
【図９】
2018133822.tif 000011
【図１０】
2018133822.tif 000012
【図１１】
2018133822.tif 000013
【図１２】
2018133822.tif 000014
【図１３】
2018133822.tif 000015
【図１４】
2018133822.tif 000016
【図１５】
2018133822.tif 000017